(57)【要約】      （修正有）【課題】遠距離のコンピュータに在庫管理などのデータ情報を送信できると共に、異なる自動販売機における異なる制御、又は支払い情報のデータを暗号化できる自動販売機のコンピュータ通用制御システムを提供する。【解決手段】通用変換制御モジュールと、通用変換制御モジュールに接続される情報整合変換ユニットと、自動販売機装置制御ユニットと、ワイヤレス送信認証ユニットと、暗号化の防犯ユニットと、複数の接続ポートとを有する。通用変換制御モジュールには、自動販売機と接続する第１通用接続端子が設けられ、情報整合変換ユニットは、内部に自動販売機装置制御ユニットとの間に情報の伝送と変換を行うＣＰＵが設けられ、自動販売機装置制御ユニットは、自動販売機の内部運転を制御する。ワイヤレス送信認証ユニットは、遠距離の情報伝送と認証を行い、暗号化の防犯ユニットは、自動販売機の情報を暗号化する。【選択図】図１
0003226079.tif 000002
【実用新案登録請求の範囲】
【請求項１】
通用変換制御モジュールと、前記通用変換制御モジュールに整合的に接続される情報整合変換ユニットと、自動販売機装置制御ユニットと、ワイヤレス送信認証ユニットと、暗号化の防犯ユニットと、複数の接続ポートとを有する自動販売機装置のコンピュータ通用制御システムであって、
整合された前記通用変換制御モジュールには、自動販売機装置と接続するための第１通用接続端子が設けられ、
前記情報整合変換ユニットは、その内部に前記自動販売機装置制御ユニットとの間に情報の伝送と変換を行うための中央プロセッサーＣＰＵが設けられ、
前記自動販売機装置制御ユニットは、前記自動販売機装置の内部運転を正常にするように制御するためのものであり、
前記ワイヤレス送信認証ユニットは、遠距離の情報伝送と認証を行うものであり、
前記暗号化の防犯ユニットは、前記自動販売機装置の情報を暗号化するためのものであり、
前記複数の接続ポートは、内部では前記自動販売機装置制御ユニットと接続されるとともに、外部では前記自動販売機装置のモーター、コイン機器又はクレジットカード機器の周辺設備と接続されることを特徴とする自動販売機装置のコンピュータ通用制御システム。
【請求項２】
前記ワイヤレス送信認証ユニットは、３Ｇ、４Ｇ、５Ｇのワイヤレスモジュール、４３３ＭＨｚのワイヤレスモジュール及びＷｉ−Ｆｉワイヤレスネットモジュールのいずれか一つであることを特徴とする請求項１に記載の自動販売機装置のコンピュータ通用制御システム。
【請求項３】
前記自動販売機装置には、情報転換用少なくとも二つの異なるＩＣを有することを特徴とする請求項１に記載の自動販売機装置のコンピュータ通用制御システム。
【請求項４】
前記自動販売機制御ユニットには、少なくとも一つのＭＣＵマイクロプロセッサーを有することを特徴とする請求項１に記載の自動販売機装置のコンピュータ通用制御システム。
【請求項５】
前記自動販売機制御ユニットには、少なくとも一つのキーチップＩＣを更に有することを特徴とする請求項１に記載の自動販売機装置のコンピュータ通用制御システム。
【請求項６】
前記通用変換制御モジュールは、スマートコンピュータに直接に構成され、前記スマートコンピュータと前記自動販売機装置制御ユニットとの間に第２通用接続端子が設けられ、前記スマートコンピュータには、タッチパネル又はキーボードが接続されることを特徴とする請求項１に記載の自動販売機装置のコンピュータ通用制御システム。
【請求項７】
前記通用変換制御モジュールであるスマートコンピュータには、ウィルス防犯ソフトと暗号化ソフトとファイアウォールソフトの何れか一つがインストールされることを特徴とする請求項１に記載の自動販売機装置のコンピュータ通用制御システム。
【請求項８】
前記通用変換制御モジュールは、更にコンピュータ通用規格インターフェースに構成することを特徴とする請求項１に記載の自動販売機装置のコンピュータ通用制御システム。
【考案の詳細な説明】
【技術分野】
【０００１】
本考案は、自動販売機装置の制御に係わる技術分野に関するものであり、特に、自動販売機装置のコンピュータ通用制御システムに関するものである。
【背景技術】
【０００２】
現在、技術の発達した社会で生活が緊張して忙しく、消費者に買物の利便性を向上するために様々な場所に自動販売機が設置されている。自動販売機で販売される商品の種類は沢山あり、その占用空間が小さくて設置場所の機動性が高く、人力コストが要らないため、商品の値段を下げることができ、しかも２４時間で連続的に営業できるため、消費者は何時でも買物をすることができ、非常に便利である。
【０００３】
早期の自動販売機は、コイン式だけであり、時代の発展に伴い、最新のスマート自動販売機では、コインやクレジットカードで支払いすることだけではなく、コードスキャン支払い、携帯電話支払いなどの支払い方式がサポートされている。
【考案の概要】
【考案が解決しようとする課題】
【０００４】
しかしながら、種類、大きさ、新旧の自動販売機にもかかわらず、その内部における制御部は、その設計が長い間に大幅に変更することがなく、一部の自動販売機では、その制御部が簡単な回路ボードであり、ほかの自動販売機では、ブロック状の実装ケースを有し、異なるメーカーが生産した自動販売機は、その制御部が異なるため、互いに相容れないものであり、よって、旧型の自動販売機のメンテナンスの困難と新型の自動販売機の開発を阻害してしまう。
【０００５】
特に、新世代の自動販売機では、展示機能が強く支払いの方式も多様であり、タッチパネルで動態の展示を示す必要があるだけではなく、遠距離の伝送、暗号化による支払い、情報の認証、ウィルス防御の強化、ハッカーに対する防犯に関する対策が更に重要になり、しかしながら、これらの機能が従来の自動販売機の制御部に実現できないため、更に改良する必要がある。
【０００６】
上記の問題に鑑み、本考案者は、その問題を解決できる自動販売機のコンピュータ通用制御システムを提供することを目的とする。
【課題を解決するための手段】
【０００７】
本考案の目的は、自動販売機装置のコンピュータ通用制御システムを提供することであり、前記自動販売機装置のコンピュータ通用制御システムは、通用変換制御モジュールと、前記通用変換制御モジュールに整合的に接続される情報整合変換ユニットと、自動販売機装置制御ユニットと、ワイヤレス送信認証ユニットと、暗号化の防犯ユニットと、複数の接続ポートとを有し、整合された前記通用変換制御モジュールには、自動販売機装置と接続するための第１通用接続端子が設けられ、
前記情報整合変換ユニットは、その内部に前記自動販売機装置制御ユニットとの間に情報の伝送と変換を行うための中央プロセッサーＣＰＵが設けられ、
前記自動販売機装置制御ユニットは、前記自動販売機装置の内部運転を正常するように制御するためのものであり、
前記ワイヤレス送信認証ユニットは、遠距離の情報伝送と認証を行うものであり、ある実施例では、前記ワイヤレス送信認証ユニットの自身でも更に暗号化の機能を有し、
前記暗号化の防犯ユニットは、前記自動販売機装置の情報を暗号化するためのものであり、
前記複数の接続ポートは、内部へ前記自動販売機装置制御ユニットと接続されるとともに、外部へ前記自動販売機装置のモーター、コイン機器又はクレジットカード機器などの周辺設備と接続される。
【０００８】
本考案によれば、異なる自動販売機装置に通用可能に設置され、遠距離のコンピュータと接続することにより、在庫管理などのデータ情報を送信することができると共に、異なる自動販売機装置における異なる制御、又は支払い情報のデータを暗号化するなど実用のニーズに対応することができる
【図面の簡単な説明】
【０００９】
【図１】本考案の通用変換制御モジュールを示すブロック図である。
【図２】本考案をスマートコンピュータに設置される状態を示す参考図である。
【図３】本考案をコンピュータの通用規格インターフェースに設置される実施例を示す参考図である。
【図４】本考案により、情報を認証して有効的に暗号化とウィルススキャンを行うフローチャートである。
【図５】従来の自動販売機の制御機器を示す参考図である。
【考案を実施するための形態】
【００１０】
審査官に対して本考案の目的、形状、構成の特徴とその効果をよく理解させるために、図面と合わせて具体の実施例について、以下のように詳細に説明する。
【００１１】
図１乃至図４に示すように、本考案に係る自動販売機装置のコンピュータ通用制御システムは、主に、通用変換制御モジュール（１０）と、前記通用変換制御モジュール（１０）に整合的に接続される情報整合変換ユニット（１）と、自動販売機装置制御ユニット（２）と、ワイヤレス送信認証ユニット（３）と、暗号化の防犯ユニット（４）と、複数の接続ポート（５）とを有する。
【００１２】
整合された前記通用変換制御モジュール（１０）には、自動販売機装置（１００）と接続するための第１通用接続端子（１０１）が設けられ、前記通用変換制御モジュール（１０）は、スマートコンピュータであってもよいが、これに限らない。前記通用変換制御モジュール（１０）であるスマートコンピュータと前記自動販売機装置制御ユニット（２）との間には、第２通用接続端子（１０２）が設けられる。
【００１３】
前記情報整合変換ユニット（１）は、その内部に前記自動販売機装置制御ユニット（２）との間に情報の伝送と変換を行うための中央プロセッサーＣＰＵが設けられる。
【００１４】
前記自動販売機装置制御ユニット（２）は、前記自動販売機装置（１００）の内部運転を正常するように制御するためのものである。
【００１５】
前記ワイヤレス送信認証ユニット（３）は、遠距離の情報伝送と認証を行うものであり、ある実施例では、前記ワイヤレス送信認証ユニット（３）の自身でも更に暗号化の機能を有している。
【００１６】
前記暗号化の防犯ユニット（４）は、前記自動販売機装置（１００）の情報を暗号化するためのものである。
【００１７】
前記複数の接続ポート（５）（５０）では、前記接続ポート（５）が内部へ前記自動販売機装置制御ユニット（２）と接続されるとともに、外部へ前記自動販売機装置（１００）のモーター（５１）、コイン機器（５２）又はクレジットカード機器（５３）などの周辺設備と接続され、前記接続ポート（５０）がタッチパネル（１０３）とキーボード（１０４）に接続するものであるが、これに限らない。
【００１８】
図２に示すように、良い実施例において、前記自動販売機装置制御ユニット（２）には、更に少なくとも一つのキーチップＩＣ（４１）を更に有するが、その実際の数量はこれに限らない。
【００１９】
より良い実施例において、前記自動販売機装置制御ユニット（２）には、少なくとも一つのＭＣＵマイクロプロセッサー（２１）を有するが、その実際の数量はこれに限るものではなく、情報転換用の二つの異なるＩＣを有しても良い（図示なし）。
【００２０】
より良い実施例において、前記ワイヤレス送信認証ユニット（３）は、３Ｇ、４Ｇ、５Ｇのワイヤレスモジュール、４３３ＭＨｚのワイヤレスモジュール及びＷｉ−Ｆｉワイヤレスネットモジュールのいずれか一つである。
【００２１】
より良い実施例において、前記スマートコンピュータには、少なくとも一つの暗号化ソフト、一つのウィルス防犯ソフトがインストールされ、ひいては、ファイアウォールソフトがインストールされるが、実際にはこれに限らない。
【００２２】
より良い実施例において、図１と図２に示すように、前記通用変換制御モジュール（１０）は、スマートコンピュータに構成されても良く、或いは、図３に示すように、コンピュータ通用規格インターフェースに構成することにより、異なる自動販売機装置（１００）に設置しても良い。また、前記自動販売機装置制御ユニット（２）では、通信変換と制御のボード（図示なし）に構成することにより、異なるコンピュータ通用システムに設置して自動販売機装置に内蔵しても良い。
【００２３】
これにより、本考案では異なる自動販売機装置に簡単に設置されて遠距離のコンピュータに接続することによりデータ情報を送信することができるので、一般に普及された自動販売機装置と最先端の自動販売機装置の異なる制御、支払データ情報を暗号化して認証する実用のニーズに対応することができる。
【００２４】
図１乃至図５に示すように、本考案は従来の構成と比較して以下のようなメリットを有する。
１．整合された通用変換制御モジュール（１０）を利用することにより、製品の組立利便性が向上でき、クライアントのニーズに応じて寸法の異なるタッチパネル（１０３）と接続することができ、新世代のスマート自動販売機装置により強い動態的な展示効果を有させることができる。
２．異なるメーカーや規格の自動販売機装置同士の間に通用でき、旧型の自動販売機装置のメンテナンスや新機体の開発に有利であり、設置では、認証ための必要時間と手間が節約することができ、本考案の通用変換制御モジュール（１０）を利用して認証済みの後、他の自動販売機装置に設置し続け、又は自動販売機装置のパーツが変更されても通用することができ、暗号化の支払情報に対して改めて認証する必要がない。
３．整合された通用変換制御モジュール（１０）には、チップＩＣ（４１）が設けられ、コンピュータにインストールされたウィルス防犯ソフト又は暗号化ソフト又はファイアウォールソフトと配合されて遠距離の伝送、暗号化の支払い、データ情報の認証、ウィルス防止の強化、ハッカーの防犯の対策に対してより完全となり、取引データ情報の安全性が有効に向上される。
【００２５】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更して本考案を完成することができ、これらの変形や変更が本考案における実用新案登録請求の範囲に含まれるべきである。
【符号の説明】
【００２６】
１                情報整合変換ユニット
１０          通用変換制御モジュール
２                自動販売機装置制御ユニット
２１          ＭＣＵマイクロプロセッサー
３                ワイヤレス送信認証ユニット
４                暗号化の防犯ユニット
４１          キーチップＩＣ
５                接続ポート
５０          接続ポート
５１          モーター
５２          コイン機器
５３          クレジットカード機器
１００        自動販売機装置
１０１        第１通用接続端子
１０２        第２通用接続端子
１０３        タッチパネル
１０４        キーボード
【図１】
0003226079.tif 000003
【図２】
0003226079.tif 000004
【図３】
0003226079.tif 000005
【図４】
0003226079.tif 000006
【図５】
0003226079.tif 000007
【手続補正書】
【提出日】令和2年2月20日(2020.2.20)
【手続補正１】
【補正対象書類名】実用新案登録請求の範囲
【補正対象項目名】全文
【補正方法】変更
【補正の内容】
【実用新案登録請求の範囲】
【請求項１】
通用変換制御モジュールと、前記通用変換制御モジュールに整合的に接続される情報整合変換ユニットと、自動販売機装置制御ユニットと、ワイヤレス送信認証ユニットと、暗号化の防犯ユニットと、複数の接続ポートとを有する自動販売機装置のコンピュータ通用制御システムであって、
整合された前記通用変換制御モジュールには、自動販売機装置と接続するための第１通用接続端子が設けられ、
前記情報整合変換ユニットは、その内部に前記自動販売機装置制御ユニットとの間に情報の伝送と変換を行うための中央プロセッサーＣＰＵが設けられ、
前記自動販売機装置制御ユニットは、前記自動販売機装置の内部運転を正常にするように制御するためのものであり、
前記ワイヤレス送信認証ユニットは、遠距離の情報伝送と認証を行うものであり、
前記暗号化の防犯ユニットは、前記自動販売機装置の情報を暗号化するためのものであり、
前記複数の接続ポートは、内部では前記自動販売機装置制御ユニットと接続されるとともに、外部では前記自動販売機装置のモーター、コイン機器又はクレジットカード機器の周辺設備と接続されることを特徴とする自動販売機装置のコンピュータ通用制御システム。
【請求項２】
前記ワイヤレス送信認証ユニットは、３Ｇ、４Ｇ、５Ｇのワイヤレスモジュール、４３３ＭＨｚのワイヤレスモジュール及びＷｉ−Ｆｉワイヤレスネットモジュールのいずれか一つであることを特徴とする請求項１に記載の自動販売機装置のコンピュータ通用制御システム。
【請求項３】
前記自動販売機装置には、情報転換用少なくとも二つの異なるＩＣを有することを特徴とする請求項１に記載の自動販売機装置のコンピュータ通用制御システム。
【請求項４】
前記自動販売機装置制御ユニットには、少なくとも一つのＭＣＵマイクロプロセッサーを有することを特徴とする請求項１に記載の自動販売機装置のコンピュータ通用制御システム。
【請求項５】
前記自動販売機装置制御ユニットには、少なくとも一つのキーチップＩＣを更に有することを特徴とする請求項１に記載の自動販売機装置のコンピュータ通用制御システム。
【請求項６】
前記通用変換制御モジュールは、スマートコンピュータに直接に構成され、前記スマートコンピュータと前記自動販売機装置制御ユニットとの間に第２通用接続端子が設けられ、前記スマートコンピュータには、タッチパネル又はキーボードが接続されることを特徴とする請求項１に記載の自動販売機装置のコンピュータ通用制御システム。
【請求項７】
前記通用変換制御モジュールであるスマートコンピュータには、ウィルス防犯ソフトと暗号化ソフトとファイアウォールソフトの何れか一つがインストールされることを特徴とする請求項１に記載の自動販売機装置のコンピュータ通用制御システム。
【請求項８】
前記通用変換制御モジュールは、更にコンピュータ通用規格インターフェースに構成することを特徴とする請求項１に記載の自動販売機装置のコンピュータ通用制御システム。